(57)【要約】      （修正有）【課題】外部環境に対し保護されるだけでなく、点検時等における取付け取外し作業が容易で、外気との熱交換を円滑に行うことができ、建築物外壁の質感との調和を図る外観を得ることができるエアコン室外機用カバーを提供する。【解決手段】エアコン室外機用カバーは、壁板Ｐにより直方体状に一体構成されて、内部にはエアコン室外機を収容する収容室Ｒを有し、且つその上部には前方に向けて下り傾斜となる天板４に開閉ドア５を設けた密封可能な収納ボックスＤを備え、収容室Ｒの底面及び背面が開放されて成り、壁板Ｐは、建築物２の外壁の質感と調和する材質感ないし色調感を有する化学樹脂素材で成形されたパネル状の壁板Ｐで構成されている。【選択図】図８
0003134755.tif 000002
【実用新案登録請求の範囲】
【請求項１】
建築物２の外壁Ｗ近傍の基台Ｂ上に設置されるエアコン室外機の外周を壁板Ｐで覆うようにしたエアコン室外機用カバー１であって、
上記エアコン室外機用カバー１は、上記壁板Ｐにより直方体状に一体構成されて内部には上記エアコン室外機Ｅを収容する収容室Ｒを有し、且つその上部には前方に向けて下り傾斜となる天板４に開閉ドア５を設けた密封可能な収納ボックスＤを備え、上記収容室Ｒの底面及び背面が開放されて成り、
上記壁板Ｐは、上記建築物２の外壁Ｗの質感と調和する材質感ないし色調感を有する化学樹脂素材で成形されたパネル状の壁板Ｐで構成されていることを特徴とするエアコン室外機用カバー。
【請求項２】
上記エアコン室外機用カバーは、エアコン室外機Ｅが収容される収容室Ｒの背面以外の少なくとも一側面に、換気窓６が形成されていることを特徴とする請求項１に記載のエアコン室外機用カバー。
【考案の詳細な説明】
【技術分野】
【０００１】
本考案は、エアコン室外機用カバーに係り、特にエアコン室外機の外周を壁板で覆うようにしたエアコン室外機用カバーに関する。
【背景技術】
【０００２】
従来より、室外の自然環境に曝されるエアコンの室外機用カバーとして、上記室外機の外周を例えば化学樹脂材で構成される外壁材で覆うようにした室外機用カバーが知られている（例えば特許文献１参照）。
【０００３】
【特許文献１】特開２００５−１８０８９９号公報
【考案の開示】
【考案が解決しようとする課題】
【０００４】
ところで、この種の室外機用カバーは、硬質素材のＬ型断面の部材を直方体に枠材として組み立てた物に、硬質素地の板を上部、両サイドの枠材に固定して本体を構成し、上記室外機のファンに接する面の縦枠材内側に設けられた溝をスライドする硬質素材の板の上部には取っ手を有し、本体を固定する為の固定金具を設置してブロック、室外機専用設置台に固定し、枠材上部後方の中心部裏には固定バンド用金具を設置して上記バンドを室外機本体の下方を通して室外機ファンに接する面側枠材の下部にフックにより固定して安定を図り、上記両サイドの硬質素材の板上部には、通風の為の開口部を有するように構成されている。
【０００５】
ところが、上記特許文献１では、室外機用カバーが、風雪などの外部環境からは保護されるものの、バンドを室外機本体の下方を通して室外機ファンに接する面側枠材の下部にフックにより固定しているため、上記室外機の点検作業の際に室外機用カバーの取付け、
取外し作業が困難となるだけでなく、室外機の外周が硬質素材の板で覆われているため特に夏季では内部に熱がこもり外気との熱交換が円滑に行われない問題を有しており、室外機の外観においても建築物の外壁の質感と調和を図ることが困難で美観が損なわれる問題を有している。
【０００６】
従って本考案の目的とするところは、外部環境に対し保護されるだけでなく、点検時等における取付け取外し作業が容易で、外気との熱交換を円滑に行うことができ、建築物外壁の質感との調和を図る外観を得ることができるエアコン室外機用カバーを提供するにある。
【課題を解決するための手段】
【０００７】
上記目的を解決する為に本考案は次の技術的手段を有する。即ち、実施例に対応する添付図面中の符号を用いて説明すると、本考案の請求項１に記載のエアコン室外機用カバーは、建築物２の外壁Ｗ近傍の基台Ｂ上に設置されるエアコン室外機の外周を壁板Ｐで覆うようにしたエアコン室外機用カバ１ーであって、上記エアコン室外機用カバー１は、上記壁板Ｐにより直方体状に一体構成されて内部には上記エアコン室外機Ｅを収容する収容室Ｒを有し、且つその上部には前方に向けて下り傾斜となる天板４に開閉ドア５を設けた密封可能な収納ボックスＤを備え、上記収容室Ｒの底面及び背面が開放されて成り、上記壁板Ｐは、上記建築物２の外壁Ｗの質感と調和する材質感ないし色調感を有する化学樹脂素材で成形されたパネル状の壁板Ｐで構成されていることを特徴とするエアコン室外機用カバーである。
上記のエアコン室外機用カバーによれば、建築物２の外壁Ｗ近傍の基台Ｂ上に設置されるエアコン室外機Ｅの外周は、エアコン室外機用カバー１で覆われて外部環境に対し保護されており、エアコン室外機Ｅの点検時には、エアコン室外機Ｅの収容室Ｒの開放された底面及び背面から取付け、取外し作業が行われる。さらに、エアコン室外機用カバー１は、上記エアコン室外機Ｅの外周が建築物２の外壁Ｗの質感と調和する材質感ないし色調感を有する化学樹脂素材で成形されたパネル状の壁板Ｐで覆われるようになっている。
【０００８】
本考案の請求項２に記載のエアコン室外機用カバーは、エアコン室外機Ｅが収容される収容室Ｒの背面以外の少なくとも一側面に、換気窓６が形成されていることを特徴とするエアコン室外機用カバーである。
上記のエアコン室外機用カバーによれば、上記収容室Ｒの背面以外の少なくとも一側面に形成されている換気窓６を通してエアコン室外機Ｅから排出される熱を外気と熱交換されるようになっている。
【考案の効果】
【０００９】
請求項１に記載の考案によれば、外部環境に対し保護されるだけでなく、点検時等における取付け取外し作業が容易で、建築物外壁の質感との調和を図る外観を得ることができる。
【００１０】
請求項２に記載の考案によれば、エアコン室外機が収容される収容室の背面以外の少なくとも一側面に換気窓を形成することで、この換気窓を通してエアコン室外機から排出される熱を外気と円滑に熱交換を行うことができる。
【考案を実施するための最良の形態】
【００１１】
本考案の実施例を以下に説明する。
【実施例】
【００１２】
図１〜図３には、本考案の実施例が示されている。図１は本考案の一実施形態に係るエアコン室外機用カバーの外観を示しており、建築物の外壁近傍の基台上に設置されるエアコン室外機用カバーの正面斜視図、図２は同じく、建築物の外壁近傍の基台上に設置されるエアコン室外機用カバーの側面斜視図、図３は同じく、建築物の外壁近傍の基台上に設置されるエアコン室外機用カバー天板の開閉ドアが開放された状態を示す正面斜視図である。
【００１３】
図１〜図３において、符号１は本考案のエアコン室外機用カバーを示しており、このエアコン室外機用カバー１は、パネル状の壁板Ｐにより直方体状に一体構成されており、その内部には基台Ｂ上に載置された後述するエアコン室外機Ｅを収容する収容室Ｒ（図８参照）を有している。
【００１４】
上記エアコン室外機用カバー１正面の壁板Ｐ下方には、上記収容室と外部とを連通する半円形状に形成された換気窓６が配設されており、この換気窓６には外部と通気可能なガラリカバー８を備えている。
【００１５】
上記収容室の上部には後述する収納ボックスが配設されており、この収納ボックスの上部は壁板Ｐで構成された前方に向けて下り傾斜となる天板４が設けられており、上記天板４の中央には開閉ドア５が配設されている。
【００１６】
開閉ドア５は、周縁がサッシ枠１０で構成されており、後端に設けたヒンジＨを介して前方に大きく開放し、上記開閉ドア５上面の手前側には取っ手Ｎが設けられている。
【００１７】
そして、上記壁板Ｐは、上記建築物２の外壁Ｗの質感と調和する材質感ないし色調感を有する化学樹脂素材で成形されたパネル状のサイディングで構成されており、上記壁板Ｐの外表面は、上記建築物２外壁Ｗの質感と調和する材質感ないし色調感を有している。
【００１８】
上記エアコン室外機用カバー１の正面、両側面及び天板４には壁板Ｐが貼り付けられており、縦、横、斜めの各コーナー部（出隅部）には、軟質ビニール系のシール板１２が貼設されている。
【００１９】
このように構成されたエアコン室外機用カバー１によれば、建築物２の外壁Ｗ近傍の基台Ｂ上に設置されるエアコン室外機Ｅの外周は、パネル状の壁板Ｐで構成される上記エアコン室外機用カバー１で覆われて外部環境に対し保護されており、エアコン室外機Ｅの点検時には、該エアコン室外機Ｅの収容室Ｒの開放された底面及び背面を介して容易に取付け、取外し作業が行われる。
【００２０】
これにより、上記エアコン室外機Ｅは外部環境に対し保護されるだけでなく、点検時等における取付け取外し作業が容易で、建築物２外壁Ｗの質感との調和を図る外観を得ることができる。
【００２１】
また、エアコン室外機Ｅが収容される収容室Ｒの開放された背面以外の一側面に形成された換気窓６を通して上記エアコン室外機から排出される熱を外に排出し、外気と熱交換されるようになっているので、上記換気窓６を通してエアコン室外機から排出される熱を外気と円滑に熱交換することができる。
【００２２】
次に、エアコン室外機用カバーの内部構造に付き図４〜図８を参照して詳述する。図４は枠組みされたエアコン室外機用カバーの正面図、図５は枠組みされたエアコン室外機用カバーをＡ方向から視た側面図、図６は枠組みされたエアコン室外機用カバーを背面から視た背面図、図７は枠組みされたエアコン室外機用カバーの全体斜視図、図８はエアコン室外機が収容された収容室内部と収納ボックスを示す一部を破断したエアコン室外機用カバーの全体斜視図である。
【００２３】
図４〜図７において、Ｓは上記エアコン室外機用カバー１の枠組み構造体であって、エアコン室外機用カバー１の骨組みを構成する枠組み構造体Ｓは、例えば複数の軽量型鋼を接合した枠組み構造として構成している。
【００２４】
図４、図５に示す枠組み構造体Ｓは、前面の左右に立設される短尺の前支柱１４と、後面の左右に立設される長尺の後支柱１５とを有し、前面に配設される上記両前支柱１４の下端には、下横梁１８が接続されると共に上記左右の前支柱１４の上端には上横梁２０が水平に接続されており、後面に配設される上記両後支柱１５の上端には上横梁２２が水平に接続されている。
【００２５】
上記エアコン室外機用カバー１の両側面を構成する上記左右の前支柱１４と後支柱１５間の上端には、傾斜梁２６が前方に向けて下り傾斜となるように接続されるとともに上記左右の前支柱１４と後支柱１５間の下端には下梁２４が横側面に接続されている。
【００２６】
上記下梁２４の中間には中間支柱１６の下端が接合されて立設しており、この中間支柱１６の上端は、上記前支柱１４と後支柱１５間の上端を接続する傾斜梁２６の中間部下面に接続されており、上記前支柱１４と後支柱１５及び中間支柱１６の中間部位には中間梁２５が横方向に接続されている（図５参照）。
【００２７】
上記左右傾斜梁２６の内側には、一定間隔離間した一対の内側傾斜梁３５が後方の上横梁２２と前方の上横梁２０間に平行に接続されており、開閉ドア５のサッシ枠１０を嵌め込むための枠組構造を構成している。
【００２８】
左右に立設した前支柱１４の内側には、一対の同じ高さの内側支柱１３が下横梁１８上に一定間隔離間して立設し、その上端には上記上横梁２０が接続されており、上記両内側支柱１３の下方には、図７に示すように上下方向に離間した一対の前横梁３０が両内側支柱１３の内側面に接続されており、上記一対の内側支柱１３と一対の前横梁３０により上記換気窓６を取付けるための間隙が形成されている（図１参照）。
【００２９】
上記一対の内側支柱１３間の中間にあって、上部側の前横梁３０の中間部上面に短尺の補助前支柱３２が接合されて立設し、その上端は上横梁２０の中間部下面に接続されている。
【００３０】
図４に示される上記両前支柱１４間内側の略中間部位には、前中間横梁２７が左右一対の内側支柱１３ないし中間の補助前支柱３２を介して水平に接続されており、図６に示される上記両後支柱１５の略中間部位の内側にも、後中間横梁２８が水平に接続されている。
【００３１】
上記前中間横梁２７と後中間横梁２８は、両側面の中間梁２５と同一高さの水平レベルにあって、前中間横梁２７と後中間横梁２８の間には、前記左右中間梁２５の内側に中間梁２５と同じ長さの３本の水平梁２９が接続されており、上記収納ボックスＤの床面Ｆを支持する枠組を構成し、図６に示すように互いに上下に並設された上記後中間横梁２８と上横梁２２の間には、短尺に形成された３本の背面支柱３４が接続されており、上記収納ボックスＤの背面を形成する枠組み構造を構成している。
【００３２】
上記前中間横梁２７と後中間横梁２８及び両側中間梁２５で囲まれる水平面の下方には、エアコン室外機Ｅを収容する収容室Ｒが形成されており、上記収容室は、底面ないし背面が開放されるように構成されている。
【００３３】
図８において、上記のようにエアコン室外機用カバー１の枠組み構造体Ｓが構成されると、エアコン室外機Ｅを収容する収容室Ｒが構成されると共に上記収容室Ｒの上部には下り傾斜となる天板４に開閉ドア５を設けた収納ボックスＤが構成され、外周面には、上記建築物の外壁の質感と調和する材質感ないし色調感を有する化学樹脂素材で成形されたパネル状のサイディング壁板Ｐが貼り付けられてエアコン室外機用カバー１が構成される。
【図面の簡単な説明】
【００３４】
【図１】本考案の一実施形態に係るエアコン室外機用カバーの外観を示しており、建築物の外壁近傍の基台上に設置されるエアコン室外機用カバーの正面斜視図である。
【図２】同じく、建築物の外壁近傍の基台上に設置されるエアコン室外機用カバーの側面斜視図である。
【図３】同じく、建築物の外壁近傍の基台上に設置されるエアコン室外機用カバー天板の開閉ドアが開放された状態を示す正面斜視図である。
【図４】枠組みされたエアコン室外機用カバーの正面図である。
【図５】枠組みされたエアコン室外機用カバーをＡ方向から視た側面図である。
【図６】枠組みされたエアコン室外機用カバーを背面から視た背面図である。
【図７】枠組みされたエアコン室外機用カバーの全体斜視図である。
【図８】エアコン室外機が収容された収容室内部と収納ボックスを示す一部を破断したエアコン室外機用カバーの全体斜視図である。
【符号の説明】
【００３５】
１            エアコン室外機用カバー
２            建築物
４            天板
５            開閉ドア
６            換気窓
８            ガラリカバー
１０          サッシ枠
１２          シール板
１３          内側支柱
１４          前支柱
１５          後支柱
１６          中間支柱
１８          下横梁
２０，２２    上横梁
２４          下梁
２５          中間梁
２６          傾斜梁
２７          前中間横梁
２８          後中間横梁
２９          水平梁
３０          前横梁
３２          補助前支柱
３４          背面支柱
３５          内側傾斜梁
Ｂ            基台
Ｄ            収納ボックス
Ｅ            エアコン室外機
Ｆ            床面
Ｈ            ヒンジ
Ｎ            取っ手
Ｐ            壁板
Ｒ            収容室
Ｓ            枠組み構造体
Ｗ            外壁
【図１】
0003134755.tif 000003
【図２】
0003134755.tif 000004
【図３】
0003134755.tif 000005
【図４】
0003134755.tif 000006
【図５】
0003134755.tif 000007
【図６】
0003134755.tif 000008
【図７】
0003134755.tif 000009
【図８】
0003134755.tif 000010